(57)【要約】【課題】会員登録有無に関わらず顧客の情報収集を行い、会員登録直後から顧客に対し的確な時期に情報提供を行うことを可能とする情報収集システムの提供。【解決手段】管理サーバ１に、会員識別情報，携帯端末識別情報，会員情報を記憶する会員情報ＤＢ１２と、登録した顧客の商品識別情報，店舗識別情報，会員識別情報，購入日時を記憶する商品購入履歴記憶手段、及び未登録の顧客の商品識別情報，店舗識別情報，携帯端末識別情報，購入日時を記憶する商品購買歴履歴記憶手段（販売管理情報ＤＢ１４）とを設ける。未登録の顧客が商品を購入するとその購入履歴を携帯端末識別情報とともに商品購買歴履歴記憶手段に格納しておく。顧客が会員登録すると、携帯端末識別情報により商品購買歴履歴記憶手段からその顧客の購入履歴を索出し、過去の購入履歴と共にその顧客の購入履歴を商品購入履歴記憶手段に記憶する。【選択図】図２
2014153801.tif 000002
【特許請求の範囲】
【請求項１】
顧客に関する情報の収集、管理を行う管理サーバと、
店舗に配置されたクライアント端末装置と、
顧客が所持し、公衆回線を通じて前記管理サーバと接続可能であるとともに、前記クライアント端末装置と近距離無線通信が可能な携帯端末と、
を備え、前記顧客が購入する商品の情報を収集する情報収集システムであって、
前記管理サーバは、
会員登録した顧客を識別する会員識別情報、当該顧客が所持する前記携帯端末を識別する携帯端末識別情報、及び当該顧客のメールアドレスを含む会員情報を記憶管理する会員情報記憶手段と、
会員登録した顧客が購入した商品又はサービスを識別する商品識別情報、当該商品又はサービスを購入した店舗を識別する店舗識別情報、当該顧客の前記会員識別情報、及び購入日時を含む商品購入履歴情報を記憶管理する商品購入履歴記憶手段と、
会員登録していない顧客が購入した商品又はサービスを識別する商品識別情報、当該商品又はサービスを購入した店舗の前記店舗識別情報、当該顧客が所持する前記携帯端末の前記携帯端末識別情報、及び購入日時を含む商品購買歴履歴情報を記憶管理する商品購買歴履歴記憶手段と、
公衆回線を通じて前記携帯端末又は前記携帯端末から前記携帯端末識別情報を取得した前記クライアント端末装置から送信される、当該携帯端末の前記携帯端末識別情報、当該携帯端末を所持する顧客が購入した商品又はサービスの前記商品識別情報、及び前記店舗識別情報を受信する情報受信手段と、
前記情報受信手段が前記携帯端末識別情報、前記商品識別情報及び前記店舗識別情報を受信すると、前記会員情報記憶手段から、当該携帯端末識別情報を含む前記会員情報を索出する会員検査手段と、
前記会員検査手段により前記会員情報が索出された場合、前記商品識別情報及び前記店舗識別情報を、当該会員の前記会員識別情報、及び前記購入日時である前記情報受信手段の受信日時又は前記携帯端末若しくは前記クライアント端末装置の送信日時とともに前記商品購入履歴記憶手段に保存するとともに、
前記会員検査手段により前記会員情報が索出されなかった場合、前記商品識別情報及び前記店舗識別情報を、当該顧客の前記携帯端末識別情報及び前記購入日時である前記情報受信手段の受信日時又は前記携帯端末若しくは前記クライアント端末装置の送信日時とともに前記商品購入履歴記憶手段に保存する収集情報登録手段と、
前記会員情報記憶手段に前記会員情報の登録を行う会員登録手段と、を備え、
前記収集情報登録手段は、前記会員登録手段により前記会員情報記憶手段に前記会員情報の登録がされた場合、前記商品購買歴履歴記憶手段に記憶された前記商品購買歴履歴情報のうち、当該会員情報に含まれる前記携帯端末識別情報が含まれるものを索出し、索出された前記商品購買歴履歴情報の前記商品識別情報、前記店舗識別情報、及び前記購入日時を、当該会員情報に含まれる前記会員識別情報とともに前記商品購入履歴記憶手段に保存することを特徴とする情報収集システム。
【請求項２】
前記クライアント端末装置は、前記携帯端末に対し、近距離無線通信により、前記店舗識別情報及び前記管理サーバに公衆回線を通じてアクセスするためのアドレス情報を送信するものであり、
前記携帯端末は、
表示装置と、
入力装置と、
前記クライアント端末装置と近距離無線通信を行い前記アドレス情報及び前記店舗識別情報を取得するアドレス取得手段と、
顧客が購入する商品又はサービスの選択画面を前記表示装置に表示するとともに、前記入力装置から顧客が入力した商品又はサービスの選択情報に基づき前記商品識別情報を生成する選択情報取得手段と、
前記アドレス情報を用いて、前記選択情報取得手段が生成する前記商品識別情報を、当該携帯端末の前記携帯端末識別情報及び前記店舗識別情報とともに、前記管理サーバに送信する選択情報送信手段と、
を備えたことを特徴とする請求項１に記載の情報収集システム。
【請求項３】
前記携帯端末は、前記クライアント端末装置に対し、近距離無線通信により、当該携帯端末の前記携帯端末識別情報を送信するものであり、
前記クライアント端末装置は、
表示装置と、
入力装置と、
前記携帯端末と近距離無線通信を行い前記携帯端末識別情報を取得する携帯端末識別情報取得手段と、
顧客が購入する商品又はサービスの選択画面を前記表示装置に表示するとともに、前記入力装置から顧客が入力した商品又はサービスの選択情報に基づき前記商品識別情報を生成する選択情報取得手段と、
前記選択情報取得手段が生成する前記商品識別情報を、当該携帯端末の前記携帯端末識別情報及び前記店舗識別情報とともに、前記管理サーバに送信する選択情報送信手段と、
を備えたことを特徴とする請求項１に記載の情報収集システム。
【請求項４】
前記管理サーバは、
各店舗の各商品又は各サービスについて、当該店舗を識別する前記店舗識別情報、当該商品又はサービスを識別する前記商品識別情報、当該商品又はサービスを購入した顧客に提供する提供情報、及び前記提供情報を送信するまでの期間である送信待機期間を含む商品購入フォローメール情報を記憶管理する商品購入フォローメール記憶手段と、
各店舗の各商品又は各サービスについて、当該商品又はサービスを購入した顧客に送信する前記提供情報、当該顧客のメールアドレス、当該提供情報の送信時期を含むメール送信予約情報を記憶管理するメール送信予約記憶手段と、
前記収集情報登録手段により、前記商品購入履歴記憶手段に保存された商品購入履歴情報が更新された場合、更新された前記商品購入履歴情報に含まれる前記店舗識別情報及び前記商品識別情報に対応する前記商品購入フォローメール情報を前記商品購入フォローメール記憶手段から索出し、
更新された前記商品購入履歴情報に含まれる前記会員識別情報に対応する前記会員情報を前記会員情報記憶手段から索出し、
前記商品購入フォローメール情報が索出された場合、
更新された前記商品購入履歴情報に含まれる前記購入日時に、当該商品購入フォローメール情報に含まれる前記送信待機期間を加算して送信時期を算出し、
当該商品購入フォローメール情報に含まれる提供情報，前記会員情報に含まれるメールアドレス，及び算出された前記送信時期を前記メール送信予約情報として前記メール送信予約記憶手段に登録するメール送信予約手段と、
前記メール送信予約記憶手段に記憶された前記各メール送信予約情報について、当該メール送信予約情報の送信時期が到来すると、当該メール送信予約情報のメールアドレスに対し、当該メール送信予約情報の前記提供情報を送信する期限管理手段と、
を備えたことを特徴とする請求項１乃至３の何れか一に記載の情報収集システム。
【発明の詳細な説明】
【技術分野】
【０００１】
本発明は、携帯電話、スマートフォン等の携帯端末を利用して顧客の購買情報等を収集し管理する情報収集システムに関する。
【背景技術】
【０００２】
顧客の購入商品の情報等の情報収集を行う情報収集システムとしては、ＰＯＳシステムが広く用いられている。かかる情報収集システムとして、例えば、特許文献１に記載のＰＯＳ販売管理システムが公知である。
【０００３】
特許文献１に記載のＰＯＳ販売管理システムは、物品やサービスなどの販売もしくはレンタルを行う店舗に設置され、販売管理および貸出管理を行うＰＯＳ販売管理システムである。このＰＯＳ販売管理システムは、
（ａ）端末パケット通信センターと通信接続が可能で、操作ボタン、表示部、外部機器の接続端子とを有し、電子メールおよびインターネットブラウザ機能および契約番号を記憶する手段を有するパケット通信手段による携帯電話と、
（ｂ）売上データや貸出データを入力する取引入力部とバーコードデータを入力するバーコード入力部とカードデータの入力を行うカード入力部と装置の操作入力を行う操作入力部とを有する操作入力手段と、商品の売上および貸出管理を行う売上管理部と売上回収を管理する回収管理部とを有する販売管理手段と、店舗会員の登録／更新、顧客の取引履歴などの顧客データの管理を行う顧客管理部と会員カードを発行するカード発行部と顧客にポイント（特典）の加算管理を行うポイント加算部とを有する顧客管理手段と、顧客データを記憶する顧客データファイルと売上データを記憶する売上データファイルと電子メールデータを記憶するメールデータファイルとを有するデータ記憶手段と、会員宛の電子メールを生成する会員メール生成部を有するメール生成手段と、店舗内の通信回線に通信接続する通信制御部を有する通信制御手段とを有するＰＯＳ端末と、
（ｃ）携帯電話と接続する接続端子を有する端末Ｉ／Ｆ手段と、該携帯電話と取引データを送受するデータ送受信部と該携帯電話による取引を受付ける取引受付部とを有する取引受付手段と、該携帯電話より暗証番号もしくは暗証データを受信してデータ記憶手段に予め記憶登録されている暗証データと比較照合して該携帯電話の認証を行う暗証確認部を有する端末認証手段と、ＰＯＳ端末とのＩ／Ｆを行うＩ／Ｆ手段とを有し、該ＰＯＳ端末に付設もしくは内蔵されるＭＩＦユニットと、
（ｄ）ＰＯＳ端末の売上管理、受注管理、商品管理、代金回収管理などの販売管理処理を行う店舗サーバと、
（ｅ）店舗内の装置を通信接続する構内通信回線と、店舗情報のホームページおよび電子メールの送受を行うＷＥＢサーバとで構成されている。
【０００４】
このシステムでは、顧客の購入情報の収集にあたり、まず、顧客に会員登録してもらい、会員カードを発行する。会員登録は、携帯電話によりＷＥＢサーバが公開する会員登録ページにアクセスし、このページから必要事項の入力を行う。ＷＥＢサーバは、会員登録がされると、メール形式の会員カードを発行し、顧客の携帯電話に送信する。
【０００５】
顧客が商品の購入をする際には、携帯電話を一般的な会員カードとして使用する。携帯電話をＰＯＳ端末に接続されたＭＩＦユニットにかざし、近距離無線通信により携帯ＩＤをＭＩＦユニットに送信する。そして、商品のバーコード等によりＰＯＳ端末から売上データや貸出データを入力する。これにより、会員である顧客の購入情報の収集が行われる。
【０００６】
また、特許文献２には、利用者用端末１において、利用者が自分自身に対して所定の事項を所定の日に通知するためのメールを作成し、利用者自身のメールアドレスおよび送信日の情報と共に、サービス企業サーバ２の予約管理データベース２ｃに登録し、サービス企業サーバ２は、販促情報を登録した販促情報データベース２ｂと、利用者端末１から送信されたメールを登録する予約管理データベース２ｃとを備えると共に、予約管理データベース２ｃに登録されているメールの送信予定日を監視する機能を有し、送信予定日となったメールを検出した場合にそのメールに対応する販促情報を販促情報データベース２ｂから抽出して、販促情報の内容をメールに付加して利用者に送信する販促情報送信システムが開示されている。
【先行技術文献】
【特許文献】
【０００７】
【特許文献１】特開２００２−６３６５８号公報
【特許文献２】特開２００２−３４２２４１号公報
【発明の概要】
【発明が解決しようとする課題】
【０００８】
しかしながら、上記従来の情報収集システムでは、情報の収集を行うに当たって、事前に顧客に会員登録をしてもらう必要がある。従って、会員登録を行う前の顧客の購入情報は収集されることがないため、顧客に販促案内などの情報提供を行う際に多少の不都合が生じる場合がある。
【０００９】
例えば、ガソリンスタンドなどの店舗において、顧客が車検のサービスを受けた時期についての情報を収集し、次の車検の時期が近づくと顧客に対して車検案内情報のメールを送信するサービスを行う場合を考える。この場合、顧客が会員登録をした後に車検サービスを受けた（購入した）場合は、顧客が車検のサービスを受けた時期の情報が登録されるため、その後の車検案内情報のメールを送信を行うことができる。しかし、例えば、顧客が店舗において車検サービスを受けた際には会員登録せず、その後一ヶ月経過してから会員登録した場合には、会員登録するよりも前に、顧客がいつ車検のサービスを受けたかの情報がない。従って、会員登録の後の最初の車検時期についての車検案内情報のメールを的確な時期に送信することができない。最初の車検案内情報の提供サービスが的確に行えなければ、その顧客がリピータとして繰り返しその店舗で車検のサービスを続けて受けるように定着する可能性が低下することが考えられる。
【００１０】
そこで、本発明の目的は、顧客の会員登録の有無にかかわらず、顧客に関する情報の収集を行い、顧客が会員登録を行った直後から、顧客に対して的確な時期に情報の提供を行うことを可能とする情報収集システムを提供することにある。
【課題を解決するための手段】
【００１１】
本発明に係る情報収集システムの第１の構成は、顧客に関する情報の収集、管理を行う管理サーバと、
店舗に配置されたクライアント端末装置と、
顧客が所持し、公衆回線を通じて前記管理サーバと接続可能であるとともに、前記クライアント端末装置と近距離無線通信が可能な携帯端末と、
を備え、前記顧客が購入する商品の情報を収集する情報収集システムであって、
前記管理サーバは、
会員登録した顧客を識別する会員識別情報、当該顧客が所持する前記携帯端末を識別する携帯端末識別情報、及び当該顧客のメールアドレスを含む会員情報を記憶管理する会員情報記憶手段と、
会員登録した顧客が購入した商品又はサービスを識別する商品識別情報、当該商品又はサービスを購入した店舗を識別する店舗識別情報、当該顧客の前記会員識別情報、及び購入日時を含む商品購入履歴情報を記憶管理する商品購入履歴記憶手段と、
会員登録していない顧客が購入した商品又はサービスを識別する商品識別情報、当該商品又はサービスを購入した店舗の前記店舗識別情報、当該顧客が所持する前記携帯端末の前記携帯端末識別情報、及び購入日時を含む商品購買歴履歴情報を記憶管理する商品購買歴履歴記憶手段と、
公衆回線を通じて前記携帯端末又は前記携帯端末から前記携帯端末識別情報を取得した前記クライアント端末装置から送信される、当該携帯端末の前記携帯端末識別情報、当該携帯端末を所持する顧客が購入した商品又はサービスの前記商品識別情報、及び前記店舗識別情報を受信する情報受信手段と、
前記情報受信手段が前記携帯端末識別情報、前記商品識別情報及び前記店舗識別情報を受信すると、前記会員情報記憶手段から、当該携帯端末識別情報を含む前記会員情報を索出する会員検査手段と、
前記会員検査手段により前記会員情報が索出された場合、前記商品識別情報及び前記店舗識別情報を、当該会員の前記会員識別情報、及び前記購入日時である前記情報受信手段の受信日時又は前記携帯端末若しくは前記クライアント端末装置の送信日時とともに前記商品購入履歴記憶手段に保存するとともに、
前記会員検査手段により前記会員情報が索出されなかった場合、前記商品識別情報及び前記店舗識別情報を、当該顧客の前記携帯端末識別情報及び前記購入日時である前記情報受信手段の受信日時又は前記携帯端末若しくは前記クライアント端末装置の送信日時とともに前記商品購入履歴記憶手段に保存する収集情報登録手段と、
前記会員情報記憶手段に前記会員情報の登録を行う会員登録手段と、を備え、
前記収集情報登録手段は、前記会員登録手段により前記会員情報記憶手段に前記会員情報の登録がされた場合、前記商品購買歴履歴記憶手段に記憶された前記商品購買歴履歴情報のうち、当該会員情報に含まれる前記携帯端末識別情報が含まれるものを索出し、索出された前記商品購買歴履歴情報の前記商品識別情報、前記店舗識別情報、及び前記購入日時を、当該会員情報に含まれる前記会員識別情報とともに前記商品購入履歴記憶手段に保存することを特徴とする。
【００１２】
この構成により、会員と登録がされていない顧客の商品購買歴履歴情報は、商品購買歴履歴記憶手段で記憶管理され、商品購買歴履歴情報と顧客との対応は携帯端末識別情報を用いて管理がされる。そして、顧客が会員登録を行うと、商品購買歴履歴記憶手段に記憶管理されたその顧客の商品購買歴履歴情報が、会員情報と共に商品購入履歴記憶手段に移されるため、会員登録を行った直後から、その顧客の過去の商品・サービスの購買履歴を用いて、その顧客に対して的確な時期に情報の提供を行うことができるようになる。
【００１３】
ここで、「公衆回線」とは、携帯電話回線、インターネット等の公衆が利用可能な双方向通信回線をいう。「携帯端末」とは、携帯電話、ＰＡＤ等をいう。「携帯端末識別情報」は、各携帯端末に固有に附されているＩＤであり、例えば、ＦｅｌｉＣａ（登録商標）のＩＤｍを使用することができる。
【００１４】
本発明に係る情報収集システムの第２の構成は、前記第１の構成において、前記クライアント端末装置は、前記携帯端末に対し、近距離無線通信により、前記店舗識別情報及び前記管理サーバに公衆回線を通じてアクセスするためのアドレス情報を送信するものであり、
前記携帯端末は、
表示装置と、
入力装置と、
前記クライアント端末装置と近距離無線通信を行い前記アドレス情報及び前記店舗識別情報を取得するアドレス取得手段と、
顧客が購入する商品又はサービスの選択画面を前記表示装置に表示するとともに、前記入力装置から顧客が入力した商品又はサービスの選択情報に基づき前記商品識別情報を生成する選択情報取得手段と、
前記アドレス情報を用いて、前記選択情報取得手段が生成する前記商品識別情報を、当該携帯端末の前記携帯端末識別情報及び前記店舗識別情報とともに、前記管理サーバに送信する選択情報送信手段と、
を備えたことを特徴とする。
【００１５】
この構成によれば、顧客が商品を購入した場合、携帯端末をクライアント端末装置に近接させ、携帯端末にアドレス情報及び店舗識別情報を取り込む。そして、顧客が、選択情報取得手段が携帯端末の表示装置に表示した選択画面から購入した商品又はサービスを選択すると、選択情報送信手段が、購入した商品又はサービスの商品識別情報、携帯端末識別情報、店舗識別情報を管理サーバに送信する。これにより、管理サーバは、商品識別情報、携帯端末識別情報、店舗識別情報を収集することができる。
【００１６】
ここで、クライアント端末装置が携帯端末に送信する「店舗識別情報」は、「アドレス情報」と独立のものであっても、「アドレス情報」に含まれているもの（例えば、アドレス情報の末尾に店舗の識別コードが付加されているような場合）であってもよい。
【００１７】
本発明に係る情報収集システムの第３の構成は、前記第１の構成において、前記携帯端末は、前記クライアント端末装置に対し、近距離無線通信により、当該携帯端末の前記携帯端末識別情報を送信するものであり、
前記クライアント端末装置は、
表示装置と、
入力装置と、
前記携帯端末と近距離無線通信を行い前記携帯端末識別情報を取得する携帯端末識別情報取得手段と、
顧客が購入する商品又はサービスの選択画面を前記表示装置に表示するとともに、前記入力装置から顧客が入力した商品又はサービスの選択情報に基づき前記商品識別情報を生成する選択情報取得手段と、
前記選択情報取得手段が生成する前記商品識別情報を、当該携帯端末の前記携帯端末識別情報及び前記店舗識別情報とともに、前記管理サーバに送信する選択情報送信手段と、
を備えたことを特徴とする。
【００１８】
この構成によれば、顧客が商品を購入した場合、携帯端末をクライアント端末装置に近接させ、クライアント端末装置に携帯端末識別情報を送信する。そして、顧客が、選択情報取得手段がクライアント端末装置の表示装置に表示した選択画面から購入した商品又はサービスを選択すると、選択情報送信手段が、購入した商品又はサービスの商品識別情報、携帯端末識別情報、店舗識別情報を管理サーバに送信する。これにより、管理サーバは、商品識別情報、携帯端末識別情報、店舗識別情報を収集することができる。
【００１９】
本発明に係る情報収集システムの第４の構成は、前記第１乃至３の何れか一の構成において、前記管理サーバは、
各店舗の各商品又は各サービスについて、当該店舗を識別する前記店舗識別情報、当該商品又はサービスを識別する前記商品識別情報、当該商品又はサービスを購入した顧客に提供する提供情報、及び前記提供情報を送信するまでの期間である送信待機期間を含む商品購入フォローメール情報を記憶管理する商品購入フォローメール記憶手段と、
各店舗の各商品又は各サービスについて、当該商品又はサービスを購入した顧客に送信する前記提供情報、当該顧客のメールアドレス、当該提供情報の送信時期を含むメール送信予約情報を記憶管理するメール送信予約記憶手段と、
前記収集情報登録手段により、前記商品購入履歴記憶手段に保存された商品購入履歴情報が更新された場合、更新された前記商品購入履歴情報に含まれる前記店舗識別情報及び前記商品識別情報に対応する前記商品購入フォローメール情報を前記商品購入フォローメール記憶手段から索出し、
更新された前記商品購入履歴情報に含まれる前記会員識別情報に対応する前記会員情報を前記会員情報記憶手段から索出し、
前記商品購入フォローメール情報が索出された場合、
更新された前記商品購入履歴情報に含まれる前記購入日時に、当該商品購入フォローメール情報に含まれる前記送信待機期間を加算して送信時期を算出し、
当該商品購入フォローメール情報に含まれる提供情報，前記会員情報に含まれるメールアドレス，及び算出された前記送信時期を前記メール送信予約情報として前記メール送信予約記憶手段に登録するメール送信予約手段と、
前記メール送信予約記憶手段に記憶された前記各メール送信予約情報について、当該メール送信予約情報の送信時期が到来すると、当該メール送信予約情報のメールアドレスに対し、当該メール送信予約情報の前記提供情報を送信する期限管理手段と、
を備えたことを特徴とする。
【００２０】
この構成によれば、商品購入履歴記憶手段において記憶管理される会員の商品購入履歴情報と、商品購入フォローメール記憶手段において記憶管理される商品購入フォローメール情報を用いて、会員の顧客が商品又はサービスを購入してから所定の期間（送信待機期間）が経過すると、期限管理手段によって自動的に提供情報を含むメールが送信される。従って、予め指定された適切な時期に会員の顧客に対し、次回の商品又はサービスの購入案内等の情報を提供することが可能となる。
【発明の効果】
【００２１】
以上のように、本発明によれば、顧客の会員登録の有無にかかわらず、顧客に関する情報の収集を行い、顧客が会員登録を行った直後から、顧客に対して的確な時期に情報の提供を行うことができる情報収集システムを提供することができる。
【図面の簡単な説明】
【００２２】
【図１】本発明の実施例１に係る情報収集システムの機器構成を表す図である。
【図２】図１の管理サーバ１の機能構成を表したブロック図である。
【図３】図１の携帯端末４の機能構成を表したブロック図である。
【図４】管理サーバ１の各データベースにおいて管理されているテーブルを示す表である。
【図５】商品購入端末関係の各データベースの各テーブルのリレーションを表すＥＲ図である。
【図６】商品購入情報収集管理関係の各データベースの各テーブルのリレーションを表すＥＲ図である。
【図７】期限管理関係の各データベースの各テーブルのリレーションを表すＥＲ図である。
【図８】実施例１に係る情報収集システムにおいてクライアントの店舗から商品情報の登録を行う際の動作を表すフローチャートである。
【図９】実施例１に係る情報収集システムにおいて顧客の商品購入情報の収集及び会員登録を行う際の動作を表すフローチャートである。
【図１０】顧客が会員登録されていない場合に携帯端末４に表示される表示画面の一例を表す図である。
【図１１】顧客が既に会員登録されている場合に携帯端末４に表示される表示画面の一例を表す図である。
【図１２】メール送信予約更新処理の流れを表すフローチャートである。
【図１３】会員に対する情報提供の期限管理処理の流れを表すフローチャートである。
【図１４】本発明の実施例２に係る情報収集システムの機器構成を表す図である。
【図１５】図１４の情報収集システムにおける携帯端末４ａ及びクライアント端末装置７の機能構成を表したブロック図である。
【図１６】実施例２に係る情報収集システムにおいて顧客の商品購入情報の収集及び会員登録を行う際の動作を表すフローチャートである。
【発明を実施するための形態】
【００２３】
以下、本発明を実施するための形態について、図面を参照しながら説明する。
【実施例１】
【００２４】
（１）システム構成
図１は、本発明の実施例１に係る情報収集システムの機器構成を表す図である。本実施例の情報収集システムは、顧客の商品の購入情報を収集し、各顧客の商品の購入日時から商品の買い換え時期等の期限管理を行うシステムである。本実施例の情報収集システムは、管理センターに設置される管理サーバ１、クライアントである店舗内に設置されるクライアントＰＣ２、及びクライアント端末装置３、顧客が所持する携帯電話やスマートフォン等の携帯端末４を備えている。クライアントＰＣ２及び携帯端末４は、携帯電話の公衆電話回線５及びインターネット回線６を介して管理サーバ１と接続されている。また、クライアント端末装置３は、具体的にはピットタッチ・ミニＳ（登録商標）などが使用され、携帯端末４との間でＢｌｕｅｔｏｏｔｈ（登録商標）等の赤外線通信や微弱電波通信などによる近距離通信が可能とされている。
【００２５】
本実施例において、携帯端末４には、携帯端末４を識別するための固有のＩＤが組み込まれたＩＣチップが内蔵されている。ここでは、一例として、国内で一般に広く使用されているＦｅｌｉＣａ（登録商標）のＩＣチップが内蔵されているものとし、携帯端末４を識別するための固有のＩＤとして、ＩＤｍ（ＦｅｌｉＣａ（登録商標）のＩＣチップに記録され書き換えができない固有のＩＤ番号）を使用する。
【００２６】
管理サーバ１内には、データベースとして、クライアントの情報を管理するクライアント情報ＤＢ１１、顧客の情報を管理する会員情報ＤＢ１２、クライアントが店舗で販売する商品に関する情報及びその商品に対する顧客への提供情報を管理する提供情報ＤＢ１３、並びに、各クライアントの各商品の販売情報と提供情報の発信時期の期限管理情報を管理する販売管理情報ＤＢ１４を備えている。尚、本実施例では、説明の便宜上、データベースを管理情報の種類で前記の４つのものに分類し、それぞれ独立したデータベースとして表示しているが、実際には、これらを１つのデータベースとして管理することも勿論可能である。
【００２７】
図２は、図１の管理サーバ１の機能構成を表したブロック図である。図２において、クライアント情報ＤＢ１１、会員情報ＤＢ１２、提供情報ＤＢ１３、販売管理情報ＤＢ１４は、図１の同符号のものに対応する。
【００２８】
管理サーバ１は、ネットワーク・インタフェース（ネットワークＩ／Ｆ）１５、ＨＰ情報送信部１６、ＨＰ情報作成部１６ａ、メール制御部１７、発信情報作成部１８、情報受信部１９（情報受信手段）、提供情報登録部２０、クライアント情報登録部２１、会員情報登録部２２（会員検査手段及び会員登録手段）、選択情報登録部２３（収集情報登録手段）、期限管理部２４（期限管理手段）、時計部２５、出力部２６、メール送信予約部２７（メール送信予約手段）を備えている。これらの各部は、管理サーバ１のコンピュータにプログラムを読み込ませて実行させることにより、機能的に実現されている。
【００２９】
ネットワークＩ／Ｆ１５は、管理サーバ１におけるインターネット回線６との間のインタフェースである。ＨＰ情報送信部１６は、クライアントや顧客の通信端末（クライアント端末装置３，携帯端末４）から指定されたホームページのページデータを、当該通信端末に送信する。ＨＰ情報作成部１６ａは、携帯端末４に対し送信するホームページのページデータの生成を行う。メール制御部１７は、顧客の通信端末（携帯端末４）との間でのメールの送受信を制御する。発信情報作成部１８は、提供情報ＤＢ１３に格納されている提供情報に基づいて、クライアント毎、商品毎、顧客毎にカスタマイズし、ＨＰ情報送信部１６が送信するホームページのページデータ（ＨＴＭＬ，ＸＭＬ等のＷｅｂページ記述言語で記述されたページデータをいう。以下同じ。）を生成する。情報受信部１９は、クライアントや顧客の通信端末（クライアント端末装置３，携帯端末４）から管理サーバ１に送信される各種受信情報の内容を解析し、受信情報の種類に応じた制御を行う。提供情報登録部２０は、提供情報ＤＢ１３に対し、クライアントが顧客に対し提供する提供情報の登録・更新を行う。クライアント情報登録部２１は、クライアント情報ＤＢ１１に対し、クライアントに関する情報の登録・更新を行う。会員情報登録部２２は、会員情報ＤＢ１２に対し、会員登録した顧客又は会員登録していない顧客に関する情報の登録・更新を行う。選択情報登録部２３は、販売管理情報ＤＢ１４に対し、顧客が購入した商品に関する情報や購入日時に関する情報の登録・更新を行う。期限管理部２４は、販売管理情報ＤＢ１４で管理される顧客の商品購入日時と、提供情報ＤＢ１３で管理される情報発信期限等に基づき、顧客に対し情報を発信する日時の期限管理を行う。時計部２５は、現在の時刻を出力する。出力部２６は、ディスプレイやプリンタに対する出力制御を行う。メール送信予約部２７は、後述するメール送信予約更新処理を定期的に実行する。
【００３０】
図３は、図１の携帯端末４の機能構成を表したブロック図である。携帯端末４は、一般に広く使用されている携帯電話やスマートフォンのようなプログラムを実行可能は汎用機器を使用しており、この携帯端末４に、管理センターが頒布するプログラムをインストールして実行させることにより、図３のような機能構成が実現されている。
【００３１】
携帯端末４は、タッチパネル３１（表示・入力装置）、キー入力部３２（入力装置）、ユーザ情報記憶部３３、無線回線Ｉ／Ｆ３４、近接無線Ｉ／Ｆ３５、ＵＲＬ取得部３６（アドレス取得手段）、ＨＰ情報取得部３７、メール制御部３８、ＨＰ情報表示部３９、選択情報取得部４０（選択情報取得手段）、選択情報送信部４１（選択情報送信手段）、及び会員登録制御部４２を備えている。
【００３２】
タッチパネル３１は、液晶パネルのような表示装置とタッチパッドのような位置入力装置を組み合わせた電子部品であり、画面上の表示を押すことで機器を操作する入力装置である。キー入力部３２は、キー操作による入力装置である。
【００３３】
ユーザ情報記憶部３３は、携帯端末４のユーザに関する情報（ユーザＩＤ等）を記憶する。無線回線Ｉ／Ｆ３４は、携帯端末４が公衆電話回線５との間で無線通信を行うためのインタフェースである。近接無線Ｉ／Ｆ３５は、携帯端末４がクライアント端末装置３との間で近接無線通信を行うためのインタフェースである。ＵＲＬ取得部３６は、近接無線Ｉ／Ｆ３５を介してクライアント端末装置３と通信を行い、管理サーバ１が公開するホームページ（ＨＰ）のＵＲＬ（Uniform Resource Locator）を取得する。ＨＰ情報取得部３７は、公衆電話回線５及びインターネット回線６を介して、ＵＲＬ取得部３６が取得したＵＲＬにより指定されるＨＰにアクセスし、当該ＨＰのページデータを取得する。メール制御部３８は、管理サーバ１との間で送受信するメールの制御を行う。ＨＰ情報表示部３９は、ＨＰ情報取得部３７が取得したＨＰのページデータに基づき、当該ＨＰをタッチパネル３１に表示する。選択情報取得部４０は、タッチパネル３１から入力される座標情報に基づき、画面上で選択された項目を特定する。選択情報送信部４１は、選択情報取得部４０により特定された選択項目の情報を、公衆電話回線５及びインターネット回線６を介して、管理サーバ１へ送信する。会員登録制御部４２は、会員登録の際の入出力制御を行う。
【００３４】
（２）データベース構成
図４に、管理サーバ１の各データベースにおいて管理されているテーブル（エンティティ）の一覧を示す。図５〜図７は、各データベースの各テーブル（エンティティ）のリレーションを表すＥＲ図（Entity-Relationship Diagram）である。尚、図５〜図７は、ＩＤＥＦ１Ｘにより表記されている。
【００３５】
クライアント情報ＤＢ１１は、店舗テーブル，商品テーブル，商品購入端末テーブル，商品購入端末登録商品テーブルの４つのテーブルを管理する。店舗テーブルは、クライアントの店舗名，店舗ＩＤ等のクライアント情報を格納するテーブルである。商品テーブルは、各クライアントの店舗で取り扱う商品の情報（商品名，商品ＩＤ等）を格納するテーブルである。商品購入端末テーブルは、各クライアントの店舗に設置されたクライアント端末装置３の情報（ターミナルＩＤ，ターミナル番号等）を格納するテーブルである。商品購入端末登録商品テーブルは、各クライアント端末装置３に設定された商品に関する情報を格納するテーブルである。
【００３６】
会員情報ＤＢ１２は、会員テーブル（会員情報記憶手段）を管理する。会員テーブルは、会員登録した顧客に関する情報（会員ＩＤ，会員番号，ＩＤｍ等）が登録されている。尚、「ＩＤｍ」とは、現在国内で広く使用されているＦｅｌｉＣａ（登録商標）のＩＣチップに記録され書き換えができない固有のＩＤ番号である。
【００３７】
提供情報ＤＢ１３は、商品購入履歴テーブル（商品購入履歴記憶手段）及び商品購買歴履歴テーブル（商品購買歴履歴記憶手段）を管理する。商品購入履歴テーブルは、会員登録している顧客の商品購入情報を格納するテーブルである。商品購買歴履歴テーブルは、会員登録していない顧客の商品購入履歴に関する情報を格納するテーブルである。尚、会員登録していない顧客の識別は、ＩＤｍを用いて行っている。
【００３８】
販売管理情報ＤＢ１４は、商品購入フォローメールテーブル（商品購入フォローメール記憶手段），メール送信予約テーブル及びメール送信テーブル（メール送信予約記憶手段）を管理する。商品購入フォローメールテーブルは、各クライアントが登録した各商品に対して、会員である顧客に対し通知する提供情報のコンテンツ等に関する情報を登録するテーブルである。メール送信予約テーブルは、各会員に対して送信するメールの送信予定日等の予約情報を登録するテーブルである。メール送信テーブルは、各会員に対して送信するメールの配信先情報を登録するテーブルである。
【００３９】
各テーブルにおけるフィールド，プライマリキー，リレーションの具体的内容については、図５〜図７に記載されている。
【００４０】
以上のように構成された本実施例に係る情報収集システムについて、以下その動作を説明する。
【００４１】
（３）システム動作
（３．１）各店舗の取扱商品の登録
図８は、実施例１に係る情報収集システムにおいてクライアントの店舗から商品情報の登録を行う際の動作を表すフローチャートである。
【００４２】
まず、クライアントは、店舗に設置されたクライアントＰＣ２から、インターネットブラウザにより、インターネット回線６を介して、管理センターの管理サーバ１によって公開された「商品登録更新ページ」にアクセスする（Ｓ１１）。アクセスがあると、管理サーバ１は、まず、クライアントＰＣ２に「クライアント認証ページ」のページデータを送信する（Ｓ２１）。これにより、クライアントＰＣ２のディスプレイ上に、店舗ＩＤとパスワードを入力する「クライアント認証ページ」が表示され、クライアントは、ここに店舗ＩＤ・パスワードを入力し、管理サーバ１に送信する。管理サーバ１は、クライアント情報ＤＢ１１の店舗テーブル（図５）を参照し、店舗ＩＤ・パスワードを照合し、適合する場合にはアクセスを許可する。この動作は、インターネットで一般に広く行われているクライアント認証方法と同様である。
【００４３】
アクセスが許可された場合、管理サーバ１は、受信された店舗ＩＤを検索キーとして、クライアント情報ＤＢ１１の商品テーブル（図５）及び提供情報ＤＢ１３の商品購入フォローメールテーブル（図７）を検索し、店舗ＩＤに対して登録された商品情報及び商品購入フォローメール情報を全部抽出する（Ｓ２２）。
【００４４】
次いで、管理サーバ１は、抽出された登録済みの商品情報及び商品購入フォローメール情報を挿入した「商品登録更新ページ」のページデータを作成し、これをクライアントＰＣ２に送信する（Ｓ２３）。クライアントＰＣ２は、「商品登録更新ページ」のページデータを受信し、ディスプレイ上に「商品登録更新ページ」を表示する（Ｓ１３）。このとき、「商品登録更新ページ」には、登録済みの商品情報及び商品購入フォローメール情報の一覧と、商品情報及び商品購入フォローメール情報の新規登録又は変更のための入力ボックス，チェックボックス等が表示される。
【００４５】
次に、クライアントは、「商品登録更新ページ」に、登録又は変更する商品の商品情報及び商品購入フォローメール情報を入力し、クライアントＰＣ２から管理サーバ１へ送信する（Ｓ１４）。管理サーバ１は、クライアントＰＣ２から登録又は変更する商品の商品情報及び商品購入フォローメール情報を受信すると（Ｓ２４）、それら情報により、クライアント情報ＤＢ１１の商品テーブルを更新し（Ｓ２５）、商品購入端末登録商品テーブル（図５）の当該商品情報に対応するレコードを作成・更新し（Ｓ２６）、提供情報ＤＢ１３の商品購入フォローメールテーブルの当該商品情報に対応するレコードを作成・更新する（Ｓ２７）。
【００４６】
以上の動作により、クライアントが店舗で取り扱う商品のデータベースへの登録又は更新が行われる。
【００４７】
（３．２）顧客の購入情報の収集及び会員登録
次に、クライアントの店舗において顧客が商品を購入した際の顧客の購買情報の収集及び会員登録の動作について説明する。
【００４８】
図９は、実施例１に係る情報収集システムにおいて顧客の商品購入情報の収集及び会員登録を行う際の動作を表すフローチャートである。
【００４９】
最初の準備として、商品を購入する顧客は、管理センターが頒布するアプリケーションプログラムを、顧客が所持する携帯端末４にインストールして実行し、携帯端末４に図３に示したような機能を構成しておく。
【００５０】
まず、クライアントの店舗において、商品を購入する顧客は、顧客が所持する携帯端末４を、店舗に設置されているクライアント端末装置３に近接させる。クライアント端末装置３は、携帯端末４の接近を関知すると、近距離無線通信により携帯端末４に対し、管理サーバ１が公開する特定のホームページにアクセスするためのＵＲＬ情報を送信する。携帯端末４のＵＲＬ取得部３６は、送信されたＵＲＬ情報を受信する（Ｓ１０１）。ここで、クライアント端末装置３が送信するＵＲＬ情報は、その店舗及びそのクライアント端末装置３に固有のＵＲＬとされており、ＵＲＬ情報によって店舗の識別が可能とされている。具体的には、ＵＲＬの末尾に、その店舗に付与されている店舗ＩＤ及びターミナルＩＤ（図５参照）が付加されている。
【００５１】
次に、携帯端末４のＨＰ情報取得部３７は、受信したＵＲＬ情報により、公衆電話回線５及びインターネット回線６を介して管理サーバ１にアクセスする（Ｓ１０２）。管理サーバ１の情報受信部１９が携帯端末４からのアクセスを検知すると、ＨＰ情報作成部１６ａは、ＵＲＬから店舗ＩＤ及びターミナルＩＤを抽出する。そして、（店舗ＩＤ，ターミナルＩＤ）を検索キーとしてクライアント情報ＤＢ１１の商品購入端末登録商品テーブルを検索してその（店舗ＩＤ，ターミナルＩＤ）に対応する商品ＩＤを抽出し、さらに抽出された各商品ＩＤについて（店舗ＩＤ，商品ＩＤ）を検索キーとしてクライアント情報ＤＢ１１の商品テーブルを検索してその（店舗ＩＤ，商品ＩＤ）に対応する商品名を抽出する。ＨＰ情報作成部１６ａは、抽出された各商品名から、図１０（ａ）に示すような「購入商品選択ページ」のページデータを作成する。ＨＰ情報送信部１６は、作成された購入商品選択ページのページデータを携帯端末４に送信する（Ｓ２０２）。携帯端末４のＨＰ情報取得部３７が、「購入商品選択ページ」のページデータを受信すると、ＨＰ情報表示部３９は、図１０（ａ）に示すような「購入商品選択ページ」をタッチパネル３１に表示する（Ｓ１０２）。
【００５２】
次に、顧客が携帯端末４のタッチパネル３１に表示された「購入商品選択ページ」から購入した商品を選択すると、選択情報取得部４０は、タッチパネル３１の入力座標から選択商品を特定する（Ｓ１０３）。そして、「決定」ボタンがタッチされると、選択情報送信部４１は、選択された商品の購入商品情報（この場合、「商品名」）及びその携帯端末４に固有のＩＤｍを管理サーバ１に送信する（Ｓ１０４）。管理サーバ１の情報受信部１９は、携帯端末４から購入商品情報及びＩＤｍを受信する（Ｓ２０４）。
【００５３】
次に、管理サーバ１の会員情報登録部２２は、受信したＩＤｍを検索キーとして、会員情報ＤＢ１２の会員テーブル（図６，図７）を検索し、受信したＩＤｍに対応するレコードの会員ＩＤを抽出する（Ｓ２０５）。ここで、受信したＩＤｍに対応するレコードが存在した場合（顧客が既に会員登録されている場合）には、以下の（ｂ）の処理に移行し、存在しない場合（顧客が会員登録されていない場合）には、次の（ａ）の処理に移行する（Ｓ２０６）。
【００５４】
（ａ）顧客が会員登録されていない場合
顧客が会員登録されていない場合、まず、管理サーバ１の選択情報登録部２３は、販売管理情報ＤＢ１４の商品購買歴履歴テーブルに新規レコードを作成し、（店舗ＩＤ，ターミナルＩＤ，商品ＩＤ，ＩＤｍ）等の情報を登録する（Ｓ２０７）。
【００５５】
次いで、管理サーバ１のＨＰ情報送信部１６は、図１０（ｂ）のような「会員登録案内ページ」のページデータを携帯端末４に送信する（Ｓ２０８）。携帯端末４のＨＰ情報取得部３７が当該ページデータを受信すると、会員登録制御部４２は「会員登録案内ページ」をタッチパネル３１に表示する（Ｓ１０８）。顧客は、会員登録したい場合には、図１０（ｂ）の「空メール送信」の領域をタッチする。会員登録したくない場合には、そのまま終了（ｂｒｅａｋ−ｏｆｆ）する。
【００５６】
顧客がタッチパネル３１の「空メール送信」の領域をタッチした場合、会員登録制御部４２はタッチパネル３１に図１０（ｃ）に示すような「メール送信画面」を表示する。顧客が送信指示を入力すると、メール制御部１７は、管理サーバ１に空メールの送信を行う（Ｓ１０９）。
【００５７】
管理サーバ１のメール制御部１７が、当該空メールを受信すると（Ｓ２０９）、会員情報登録部２２は、当該空メールのメールデータのヘッダから、顧客のメールアドレスを抽出する。そして、会員情報登録部２２は、図９（ｄ）のような「本登録案内メール」のメールデータを作成し、メール制御部１７は、この「本登録案内メール」を顧客のメールアドレスへ送信する（Ｓ２１０）。携帯端末４のメール制御部３８は、「本登録案内メール」を受信する（Ｓ１１０）。「本登録案内メール」には、図９（ｄ）に示されているように、「会員情報入力ページ」にアクセスするためのＵＲＬが含まれている。
【００５８】
顧客が「本登録案内メール」に含まれるＵＲＬから管理サーバ１の「会員情報入力ページ」にアクセスした場合（Ｓ１１１）、管理サーバ１の会員情報登録部２２は、「会員情報入力ページ」のページデータを携帯端末４に送信する（Ｓ２１１）。携帯端末４のＨＰ情報取得部３７は「会員情報入力ページ」のページデータを受信し、ＨＰ情報表示部３９は当該「会員情報入力ページ」をタッチパネル３１に表示する（Ｓ１１１）。「会員情報入力ページ」は、図１０（ｅ）に示したように、顧客の「氏名」、「性別」、「職業」等を入力する欄が設けられている。また、「利用規約」を表示するためのリンクも設けられている。
【００５９】
顧客が携帯端末４のタッチパネル３１及びキー入力部３２により、「会員情報入力ページ」に顧客の情報（会員情報）を入力し（Ｓ１１２）、「登録」ボタン（図１０（ｅ））をタッチすると、携帯端末４の会員登録制御部４２は、入力された会員情報を管理サーバ１へ送信する（Ｓ１１３）。管理サーバ１の情報受信部１９が会員情報を受信すると（Ｓ２１３）、会員情報登録部２２は、会員情報ＤＢ１２の会員テーブルに新規のレコードを作成して新たな固有の会員ＩＤを付与すると共に、当該レコードに当該会員情報を登録する（Ｓ２１４）。次いで、会員情報登録部２２は、図１０（ｆ）に示したような「登録完了ページ」のページデータを作成し、ＨＰ情報送信部１６は該ページデータを携帯端末４へ送信する（Ｓ２１５）。携帯端末４のＨＰ情報取得部３７が「登録完了ページ」のページデータを受信すると、ＨＰ情報表示部３９は、「登録完了ページ」をタッチパネル３１に表示する（Ｓ１１５）。
【００６０】
さらに、管理サーバ１の会員情報登録部２２は図１０（ｇ）に示したような「登録完了メール」のメールデータを作成し、選択情報登録部２３は図１０（ｈ）に示したような「お礼メール」のメールデータを作成し、メール制御部１７は該メールデータを、顧客のメールアドレスへ送信する（Ｓ２１６）。携帯端末４のメール制御部３８は、当該「登録完了メール」及び当該「お礼メール」を受信する（Ｓ１１６）。以上の動作によって、顧客の会員登録の処理は終了する。
【００６１】
次に、管理サーバ１の選択情報登録部２３は、ステップＳ２０４において先に受信したＩＤｍを検索キーとして、販売管理情報ＤＢ１４の商品購買歴履歴テーブルを検索し、ヒットしたレコード（商品購買歴履歴情報）をすべて抽出する（Ｓ２１７）。このとき、抽出したレコードの「削除フラグ」をＴｒｕｅ（有効）とし、商品購買歴履歴テーブルを更新しておく。そして、抽出した商品購買歴履歴情報に会員ＩＤを付加して商品購入履歴情報とし、これらの商品購入履歴情報を販売管理情報ＤＢ１４の商品購入履歴テーブルへ登録する（Ｓ２１８）。以上の動作によって、顧客の商品購入情報の登録処理が終了する。
【００６２】
（ｂ）顧客が既に会員登録されている場合
顧客が既に会員登録されている場合、まず、管理サーバ１の選択情報登録部２３は、ステップＳ２０４において先に受信した購入商品情報とＩＤｍに会員ＩＤを付加して商品購入履歴情報とし、この商品購入履歴情報を販売管理情報ＤＢ１４の商品購入履歴テーブルへ登録する（Ｓ３０７）。
【００６３】
次いで、会員情報登録部２２は、図１１（ｂ）に示したような「登録完了ページ」のページデータを作成し、ＨＰ情報送信部１６は該ページデータを携帯端末４へ送信する（Ｓ３１５）。携帯端末４のＨＰ情報取得部３７が「登録完了ページ」のページデータを受信すると、ＨＰ情報表示部３９は、「登録完了ページ」をタッチパネル３１に表示する（Ｓ４１５）。
【００６４】
さらに、管理サーバ１の選択情報登録部２３は、図１１（ｃ）に示したような「お礼メール」のメールデータを作成し、メール制御部１７は該メールデータを、顧客のメールアドレスへ送信する（Ｓ３１６）。携帯端末４のメール制御部３８は、当該「お礼メール」を受信する（Ｓ４１６）。以上の動作によって、顧客の商品購入情報の登録処理が終了する。
【００６５】
（３．３）期限管理のためのデータベースの更新
図１２は、メール送信予約更新処理を行う際の処理の流れを表すフローチャートである。このメール送信予約更新処理（提供情報ＤＢ１３のメール送信予約テーブル及びメール送信テーブルの更新処理）は、１日のうちの決められた時刻（例えば、午前０時）に定期的に管理サーバ１において実行される。尚、メール送信予約更新処理の処理実施開始時刻直前の１日の期間に、１回の商品購入履歴テーブルの更新もされなかった場合には（Ｓ５０１）、このメール送信予約更新処理の本処理（Ｓ５０２〜Ｓ５０８）は実施されない。
【００６６】
商品購入履歴テーブルの更新がされている場合（Ｓ５０１）、まず、メール送信予約部２７は、「登録日」及び「更新日」を検索キーとして、販売管理情報ＤＢ１４の商品購入履歴テーブル（図７）を検索し、「登録日」又は「更新日」が、処理実施開始時刻直前の１日の期間内であるすべてのレコードを抽出し、抽出されたレコードの集合からなる更新レコードリストを作成する（Ｓ５０２）。更新レコードリストの各レコードをrec[i]（ｉはレコード番号，ｉ＝０，…，Ｎｒｅｃ−１，Ｎｒｅｃは全レコード数）で表す。
【００６７】
次いで、メール送信予約部２７は、レコード番号ｉを０に初期設定し（Ｓ５０３）、ｉ＜Ｎｒｅｃの間、以下のＳ５０４〜Ｓ５０８の処理を繰り返し実行する。
【００６８】
まず、メール送信予約部２７は、レコードrec[i]の（店舗ＩＤ，商品ＩＤ）を検索キーとして、提供情報ＤＢ１３の商品購入フォローメールテーブルを検索し、ヒットするレコード（商品購入フォローメール情報）を抽出する（Ｓ５０４）。ヒットしなかった場合には（Ｓ５０５）、ステップＳ５１０へ移行する。
【００６９】
ヒットした場合（Ｓ５０５）、メール送信予約部２７は、抽出された商品購入フォローメール情報に基づき、メール送信予約情報（メール送信予約テーブルに登録するレコードの情報）を生成し（Ｓ５０６）、これをメール送信予約テーブルに登録する（Ｓ５０７）。ここで、メール送信予約情報の各要素は、次表のように設定される。（表１）において、「商品購入フォローメール情報」欄は、抽出された商品購入フォローメール情報の値であり、「外部設定値」欄はメール送信予約部２７が自動的に設定する値である。このとき、メール送信予約部２７は、メール送信予約情報をメール送信予約テーブルに登録した際に自動的に付与される予約ＩＤを取得する。
【００７０】
【表１】
2014153801.tif 000003
【００７１】
次いで、メール送信予約部２７は、レコードrec[i]の会員ＩＤを検索キーとして、会員情報ＤＢ１２の会員テーブルを検索し、会員ＩＤに対応するメールアドレスを抽出する（Ｓ５０８）。そして、抽出されたメールアドレス、レコードrec[i]の（店舗ＩＤ，会員ＩＤ）、及びメール送信予約情報の（予約ＩＤ，送信区分）に基づいて、メール送信情報を生成し、提供情報ＤＢ１３のメール送信テーブルに登録する（Ｓ５０９）。
【００７２】
次いで、レコード番号ｉをインクリメントし、ｉ＜ＮｒｅｃならばステップＳ５０３に戻り、そうでなければメール送信予約更新処理を終了する。
【００７３】
（３．４）会員への情報提供
図１３は、会員に対する情報提供の期限管理処理の流れを表すフローチャートである。以下の期限管理処理は、メール送信予約更新処理に続いて又は並行して実行される。
【００７４】
まず、管理サーバ１の期限管理部２４は、（送信予約日，送信予約時間）を検索キーとして、提供情報ＤＢ１３のメール送信予約テーブルを検索し、抽出されたレコードの集合からなる当日送信リストを作成する（Ｓ６０１）。検索条件としては、例えば、（送信予約日，送信予約時間）が現在の日時（期限管理処理の開始時刻）から２４時間以内とする。
【００７５】
次に、期限管理部２４は、作成した当日送信リストを、（送信予約日，送信予約時間）をソートキーとして昇順にソートする（Ｓ６０２）。ソートされた当日送信リストのレコードをrec[i]（ｉ＝０，…，Ｎｒｅｃ−１：ｉはレコード番号，Ｎｒｅｃは全レコード数）と記す。
【００７６】
次いで、期限管理部２４は、処理対象であるレコードのレコード番号ｉを０に初期設定する（Ｓ６０３）。
【００７７】
次いで、期限管理部２４は、レコードrec[i]の「予約ＩＤ」を検索キーとして、提供情報ＤＢ１３のメール送信テーブルを検索し、抽出されたレコードの（会員ＩＤ，メールアドレス，配信区分）の集合からなる送信アドレスリストを作成する（Ｓ６０４）。
【００７８】
次いで、期限管理部２４は、時計部２５が出力する現在の日時が、レコードrec[i]の送信予約日時（送信予約日，送信予約時間）を経過するまで待機する（Ｓ６０５）。
【００７９】
現在の日時がレコードrec[i]の送信予約日時を経過すると、期限管理部２４は、レコードrec[i]の情報からメールデータを作成し、送信アドレスリストに登録されたすべての「メールアドレス」に対して、メール制御部１７によりメールデータを送信する（Ｓ６０６）。「メールアドレス」に対応する各携帯端末４のメール制御部３８は、送信されたメールデータを受信する（Ｓ７０６）。これにより、提供情報の電子メールによる配信が実行される。電子メール配信を実行すると、期限管理部２４は、提供情報ＤＢ１３のメール送信予約テーブルの当該「予約ＩＤ」に対応するレコードの「削除フラグ」をTrueに設定する。
【００８０】
次いで、期限管理部２４は、レコード番号ｉをインクリメントする（Ｓ６０７）。そして、ｉ＜Ｎｒｅｃの場合にはステップＳ６０４に戻り、そうでなければ、全レコードの処理が完了したとして期限管理処理を終了する（Ｓ６０８）。
【実施例２】
【００８１】
図１４は、本発明の実施例２に係る情報収集システムの機器構成を表す図である。図１４において、図１と同様の構成部分については、同符号を附している。本実施例の情報収集システムは、クライアントの店舗内に、クライアント端末装置３に加えてクライアント端末装置７が設置されている。尚、図１４において、携帯端末４ａは、タッチパネルを備えていない携帯電話を表している。クライアント端末装置７は、具体的にはピットタッチ（登録商標）などが使用され、顧客の所持する携帯端末４又は携帯端末４ａとの間でＢｌｕｅｔｏｏｔｈ（登録商標）や音声符号通信等による近距離通信が可能とされている。また、クライアント端末装置７は、筐体の前面に、画像や文字を表示したり選択座標をタッチ入力するためのタッチパネル７ａと、携帯端末と近距離無線通信を行うためのアンテナ領域７ｂが設けられている。携帯端末をアンテナ領域７ｂに近接させることによって、携帯端末とクライアント端末装置７との間で近距離無線通信が可能となる。さらに、クライアント端末装置７は、インターネット回線６に接続されており、管理サーバ１との間で通信が可能である。
【００８２】
図１５は、図１４の情報収集システムにおける携帯端末４ａ及びクライアント端末装置７の機能構成を表したブロック図である。図１５において、図３と同様の構成部分には同符号を附している。本実施例では、実施例１の携帯端末４の一部の機能（選択情報取得部４０，選択情報送信部４１）をクライアント端末装置７が有する構成となっている。
【００８３】
携帯端末４ａは、タッチパネル３１の代わりにディスプレイ３１ａを備えており、入力はキー入力部３２からのみ行うことができる。また、携帯端末４ａは、ＩＤｍ送信部４５を備えている。ＩＤｍ送信部４５は、近接無線Ｉ／Ｆ３５を介して、ユーザ情報記憶部３３に記憶されたＩＤｍをクライアント端末装置３へ送信する。
【００８４】
一方、クライアント端末装置７は、端末記憶部４６、近接無線Ｉ／Ｆ４７、タッチパネル４８（表示装置・入力装置）、ＩＤｍ受信部４９（携帯端末識別情報取得手段）、ＵＲＬ送信部５０、ＨＰ情報取得部５１、ＨＰ情報表示部５２、ネット回線Ｉ／Ｆ５３を備えている。端末記憶部４６は、管理サーバ１が公開している「会員登録ページ」のＵＲＬ（アドレス情報）及び当該クライアント端末装置７が設置された店舗の店舗識別情報を記憶するとともに、携帯端末４ａから送信されるＩＤｍを一時的に記憶する。なお、ここでは店舗識別情報は、ＵＲＬの末尾に店舗識別コードを付加する形で、ＵＲＬ（アドレス情報）の中に含まれているものとする。近接無線Ｉ／Ｆ４７は、携帯端末４ａとの間で近距離無線通信を行うためのインタフェースである。タッチパネル４８は、液晶パネルのような表示装置とタッチパッドのような位置入力装置を組み合わせた電子部品であり、画面上の表示を押すことで機器を操作する入力装置である。ＩＤｍ受信部４９は、近接無線Ｉ／Ｆ４７を介して携帯端末４ａから送信されるＩＤｍを受信し端末記憶部４６に保存する。ＵＲＬ送信部５０は、近接無線Ｉ／Ｆ４７を介して携帯端末４ａへ「会員登録ページ」のＵＲＬを送信する。ＨＰ情報取得部５１は、インターネット回線６を介して管理サーバが公開するホームページのページ情報を受信する。ＨＰ情報表示部５２は、ＨＰ情報取得部５１が受信したページ情報を、タッチパネル４８に表示する。ネット回線Ｉ／Ｆ５３は、クライアント端末装置７をインターネット回線６に接続するためのインタフェースである。
【００８５】
図１６は、実施例２に係る情報収集システムにおいて顧客の商品購入情報の収集及び会員登録を行う際の動作を表すフローチャートである。図１５において、図９と同様の処理ステップの部分については同符号を附してある。
【００８６】
まず、クライアントの店舗において、商品を購入する顧客は、顧客が所持する携帯端末４ａを、店舗に設置されているクライアント端末装置７のアンテナ領域７ｂに近接させる。クライアント端末装置７は、携帯端末４ａの接近を関知すると、近距離無線通信により携帯端末４に対し、ＩＤｍ送信要求を送信する（Ｓ８０１）。携帯端末４は、ＩＤｍ送信要求を受信すると、クライアント端末装置７に対してＩＤｍを送信し（Ｓ１０１ａ）、クライアント端末装置７はこのＩＤｍを受信する（Ｓ８０１）。
【００８７】
次に、クライアント端末装置７は、クライアント端末装置７に予め保存されたＵＲＬ情報を用いて、公衆電話回線５及びインターネット回線６を介して管理サーバ１にアクセスする（Ｓ８０２）。管理サーバ１の情報受信部１９がクライアント端末装置７からのアクセスを検知すると、ＨＰ情報作成部１６ａは、ＵＲＬから店舗ＩＤ及びターミナルＩＤを抽出する。そして、（店舗ＩＤ，ターミナルＩＤ）を検索キーとしてクライアント情報ＤＢ１１の商品購入端末登録商品テーブルを検索してその（店舗ＩＤ，ターミナルＩＤ）に対応する商品ＩＤを抽出し、さらに抽出された各商品ＩＤについて（店舗ＩＤ，商品ＩＤ）を検索キーとしてクライアント情報ＤＢ１１の商品テーブルを検索してその（店舗ＩＤ，商品ＩＤ）に対応する商品名を抽出する。ＨＰ情報作成部１６ａは、抽出された各商品名から、「購入商品選択ページ」のページデータを作成する。ＨＰ情報送信部１６は、作成された購入商品選択ページのページデータをクライアント端末装置７に送信する（Ｓ２０２）。クライアント端末装置７は、「購入商品選択ページ」のページデータを受信すると、「購入商品選択ページ」をタッチパネル７ａに表示する（Ｓ８０２）。
【００８８】
次に、顧客がクライアント端末装置７のタッチパネル７ａに表示された「購入商品選択ページ」から購入した商品を選択すると、クライアント端末装置７は、タッチパネル７ａの入力座標から選択商品を特定する（Ｓ８０３）。そして、「決定」ボタンがタッチされると、クライアント端末装置７は、選択された商品の購入商品情報（この場合、「商品名」）及び先に受信したＩＤｍを管理サーバ１に送信する（Ｓ８０４）。管理サーバ１の情報受信部１９は、クライアント端末装置７から購入商品情報及びＩＤｍを受信する（Ｓ２０４）。
【００８９】
以降の動作は、実施例１の図９と同様である。但し、図９のステップＳ１０８における「会員登録案内ページ」の表示は、携帯端末の代わりにクライアント端末装置７において行われる（Ｓ８０８）。クライアント端末装置７に「会員登録案内ページ」が表示されると、顧客は会員登録を行いたい場合には、携帯端末４ａをクライアント端末装置７に近接させる。これにより、クライアント端末装置７のＵＲＬ送信部５０は、携帯端末４ａに「会員登録案内ページ」のＵＲＬを送信し（Ｓ８０８ａ）、携帯端末４ａのＵＲＬ取得部３６は、「会員登録案内ページ」のＵＲＬを取得する（Ｓ１０８ａ）。そして、携帯端末４ａのＨＰ情報取得部３７は、管理サーバ１が公開する「会員登録案内ページ」にアクセスしてページ情報を取得し、ＨＰ情報表示部３９はＨＰ情報取得部３７が取得したページ情報をディスプレイ３１ａに表示する（Ｓ１０８ｂ）。
【００９０】
また、図９のステップＳ１１５，Ｓ４１５における「登録完了ページ」の表示は、携帯端末の代わりにクライアント端末装置７において行われる（Ｓ８１５）。
【符号の説明】
【００９１】
１  管理サーバ
２  クライアントＰＣ
３  クライアント端末装置
４，４ａ  携帯端末
５  公衆電話回線
６  インターネット回線
７  クライアント端末装置
７ａ  タッチパネル
７ｂ  アンテナ領域
１１  クライアント情報ＤＢ
１２  会員情報ＤＢ
１３  提供情報ＤＢ
１４  販売管理情報ＤＢ
１５  ネットワーク・インタフェース（ネットワークＩ／Ｆ）
１６  ＨＰ情報送信部
１６ａ  ＨＰ情報作成部
１７  メール制御部
１８  発信情報作成部
１９  情報受信部
２０  提供情報登録部
２１  クライアント情報登録部
２２  会員情報登録部
２３  選択情報登録部
２４  期限管理部
２５  時計部
２６  出力部
２７  メール送信予約部
３１  タッチパネル
３１ａ  ディスプレイ
３２  キー入力部
３３  ユーザ情報記憶部
３４  無線回線Ｉ／Ｆ
３５  近接無線Ｉ／Ｆ
３６  ＵＲＬ取得部
３７  ＨＰ情報取得部
３８  メール制御部
３９  ＨＰ情報表示部
４０  選択情報取得部
４１  選択情報送信部
４２  会員登録制御部
４５  ＩＤｍ送信部
４６  端末記憶部
４７  近接無線Ｉ／Ｆ
４８  タッチパネル
４９  ＩＤｍ受信部
５０  ＵＲＬ送信部
５１  ＨＰ情報取得部
５２  ＨＰ情報表示部
５３  ネット回線Ｉ／Ｆ
【図１】
2014153801.tif 000004
【図２】
2014153801.tif 000005
【図３】
2014153801.tif 000006
【図４】
2014153801.tif 000007
【図５】
2014153801.tif 000008
【図６】
2014153801.tif 000009
【図７】
2014153801.tif 000010
【図８】
2014153801.tif 000011
【図９】
2014153801.tif 000012
【図１０】
2014153801.tif 000013
【図１１】
2014153801.tif 000014
【図１２】
2014153801.tif 000015
【図１３】
2014153801.tif 000016
【図１４】
2014153801.tif 000017
【図１５】
2014153801.tif 000018
【図１６】
2014153801.tif 000019